(57)【特許請求の範囲】
【請求項１】
各画素の輝度がコード値で表されているＨＤＲ（Ｈｉｇｈ  Ｄｙｎａｍｉｃ  Ｒａｎｇｅ）映像データを取得する取得部と、
前記ＨＤＲ映像データを第１ＥＯＴＦ（Ｅｌｅｃｔｒｏ−ｏｐｔｉｃａｌ  Ｔｒａｎｓｆｅｒ  Ｆｕｎｃｔｉｏｎ）を用いてＨＤＲ映像に変換する変換部と、
前記ＨＤＲ映像データの各画素について、当該画素のコード値が、前記第１ＥＯＴＦ上の点における接線の傾きが所定の傾きとなる第１の点に対応する第１コード値未満の第１範囲に含まれるか前記第１コード値以上の第２範囲に含まれるかを判定することで、前記コード値が前記第１範囲に含まれる画素を含む低輝度領域としての第１領域と、前記コード値が前記第２範囲に含まれる画素を含む高輝度領域としての第２領域とを抽出する領域抽出部と、
前記ＨＤＲ映像データのうちの前記第１領域のシャープネスゲインを前記第２領域のシャープネスゲインよりも増加させることで前記ＨＤＲ映像データのシャープネスゲインを調整する調整部と、
前記調整部により調整されることで得られた調整データを用いて、前記変換部において変換されることにより得られた前記ＨＤＲ映像を表示する表示部と、を備える
表示装置。
【請求項２】
前記変換部は、前記第１ＥＯＴＦを用いた変換と、コード値がニーポイントコードを超える範囲において前記第１ＥＯＴＦとは異なる曲線を有する第２ＥＯＴＦであって、前記表示部が表示可能な最大輝度を示す表示最大輝度を超えた輝度に対応するコード値を有するＨＤＲ映像データを、前記表示最大輝度を最大輝度とするＨＤＲ映像に変換するための第２ＥＯＴＦを用いた変換とを、前記ＨＤＲ映像データの最大輝度に応じて選択的に切り替えて行い、
前記変換部が前記第１ＥＯＴＦを用いた変換を行う場合、
前記領域抽出部は、さらに、前記第１領域のうちで、前記コード値が前記ニーポイントコード未満の第３範囲に含まれる画素を含む第３領域と、前記コード値が前記ニーポイントコード以上の第４範囲に含まれる画素を含む第４領域とを抽出し、
前記調整部は、前記第３領域のシャープネスゲインを基準値から第１の値だけ増加させ、前記第４領域のシャープネスゲインを前記基準値から前記第１の値よりも小さい第２の値だけ増加させ、前記第２領域のシャープネスゲインを前記基準値から第３の値だけ減少させる
請求項１に記載の表示装置。
【請求項３】
前記第２ＥＯＴＦは、前記ＨＤＲ映像データの複数の画素を、コード値が小さい画素から順に並べたとき全画素の所定の割合の数の順位に対応する画素のコード値を前記ニーポイントコードとするＥＯＴＦである
請求項２に記載の表示装置。
【請求項４】
前記変換部は、前記第１ＥＯＴＦを用いた変換と、コード値がニーポイントコードを超える範囲において前記第１ＥＯＴＦとは異なる曲線を有する第２ＥＯＴＦであって、前記表示部が表示可能な最大輝度を示す表示最大輝度を超えた輝度に対応するコード値を有するＨＤＲ映像データを、前記表示最大輝度を最大輝度とするＨＤＲ映像に変換するための第２ＥＯＴＦを用いた変換とを、前記ＨＤＲ映像データの最大輝度に応じて選択的に切り替えて行い、
前記変換部が前記第２ＥＯＴＦを用いた変換を行う場合、
前記領域抽出部は、前記ＨＤＲ映像データの各画素について、当該画素のコード値が、前記第２ＥＯＴＦ上の点における接線の傾きが前記所定の傾き未満のコード値の範囲である第５範囲に含まれるか前記所定の傾き以上のコード値の範囲である第６範囲に含まれるかを判定することで、前記コード値が前記第５範囲に含まれる画素を含む第５領域と、前記コード値が前記第６範囲に含まれる画素を含む第６領域とを抽出し、
前記調整部は、前記第５領域のシャープネスゲインを基準値から第４の値だけ増加させ、前記第６領域のシャープネスゲインを前記基準値から第５の値だけ減少させる
請求項１に記載の表示装置。
【請求項５】
前記第２ＥＯＴＦは、コード値が大きくなるに従って、前記接線の傾きが前記所定の傾き未満から前記所定の傾き以上に変化する第２の点、および、前記接線の傾きが前記所定の傾き以上から前記所定の傾き未満に変化する第３の点である２つの変化点を有し、
前記領域抽出部は、
さらに、前記第５領域のうちで、前記コード値が前記第２の点に対応する第２コード値未満の第７範囲に含まれる画素を含む第７領域と、前記コード値が前記第３の点に対応する第３コード値以上の第８範囲に含まれる画素を含む第８領域とを抽出し、
前記第２コード値以上、かつ、前記第３コード値未満の範囲を前記第６範囲とし、当該第６範囲に含まれる画素を含む領域を前記第６領域として抽出する
請求項４に記載の表示装置。
【請求項６】
前記変換部が前記第２ＥＯＴＦを用いた変換を行う場合、
前記領域抽出部は、さらに、前記第７領域のうちで、前記コード値が前記ニーポイントコード未満の第９範囲に含まれる画素を含む第９領域と、前記コード値が前記ニーポイントコード以上の第１０範囲に含まれる画素を含む第１０領域とを抽出し、
前記調整部は、前記第９領域および前記第１０領域のシャープネスゲインを基準値から、前記第４の値だけ増加させる
請求項５に記載の表示装置。
【請求項７】
前記調整部は、第１調整部と、前記第１調整部とは異なる第２調整部とを備え、
前記変換部が前記第１ＥＯＴＦを用いた変換を行う場合に、前記コード値が前記ニーポイントコード以上の第４範囲に含まれる画素を含む第４領域のシャープネスゲインを調整する第１調整部が、前記変換部が前記第２ＥＯＴＦを用いた変換を行う場合においては、前記第８領域のシャープネスゲインを調整し、
前記変換部が前記第１ＥＯＴＦを用いた変換を行う場合に前記第２領域のシャープネスゲインを調整する第２調整部が、前記変換部が前記第２ＥＯＴＦを用いた変換を行う場合においては、前記第６領域のシャープネスゲインを調整する
請求項６に記載の表示装置。
【請求項８】
各画素の輝度がコード値で表されているＨＤＲ（Ｈｉｇｈ  Ｄｙｎａｍｉｃ  Ｒａｎｇｅ）映像データを取得し、
前記ＨＤＲ映像データを第１ＥＯＴＦ（Ｅｌｅｃｔｒｏ−ｏｐｔｉｃａｌ  Ｔｒａｎｓｆｅｒ  Ｆｕｎｃｔｉｏｎ）を用いてＨＤＲ映像に変換し
前記ＨＤＲ映像データの各画素について、当該画素のコード値が、前記第１ＥＯＴＦ上の点における接線の傾きが所定の傾きとなる第１の点に対応する第１コード値未満の第１範囲に含まれるか前記第１コード値以上の第２範囲に含まれるかを判定することで、前記コード値が前記第１範囲に含まれる画素を含む低輝度領域としての第１領域と、前記コード値が前記第２範囲に含まれる画素を含む高輝度領域としての第２領域とを抽出し、
前記ＨＤＲ映像データのうちの前記第１領域のシャープネスゲインを前記第２領域のシャープネスゲインよりも増加させることで前記ＨＤＲ映像データのシャープネスゲインを調整し、
調整することで得られた調整データを用いて、変換することで得られた前記ＨＤＲ映像を表示する
表示方法。
【発明の詳細な説明】
【技術分野】
【０００１】
本開示は、ＨＤＲ映像データを変換することにより得られたＨＤＲ映像データを表示する表示装置および表示方法に関する。
【背景技術】
【０００２】
特許文献１には、ターゲットディスプレイ上への表示のための画像データを伝達関数に従って変換する装置について開示されています。
【先行技術文献】
【特許文献】
【０００３】
【特許文献１】特表２０１４−５１２７４０号公報
【発明の概要】
【発明が解決しようとする課題】
【０００４】
本開示は、ＨＤＲ映像データを変換して得られたＨＤＲ映像のシャープネスが低減することを効果的に抑制することができる表示装置などを提供する。
【課題を解決するための手段】
【０００５】
本開示における表示装置は、各画素の輝度がコード値で表されているＨＤＲ（Ｈｉｇｈ  Ｄｙｎａｍｉｃ  Ｒａｎｇｅ）映像データを取得する取得部と、前記ＨＤＲ映像データを第１ＥＯＴＦ（Ｅｌｅｃｔｒｏ−ｏｐｔｉｃａｌ  Ｔｒａｎｓｆｅｒ  Ｆｕｎｃｔｉｏｎ）を用いてＨＤＲ映像に変換する変換部と、前記ＨＤＲ映像データの各画素について、当該画素のコード値が、前記第１ＥＯＴＦ上の点における接線の傾きが所定の傾きとなる第１の点に対応する第１コード値未満の第１範囲に含まれるか前記第１コード値以上の第２範囲に含まれるかを判定することで、前記コード値が前記第１範囲に含まれる画素を含む低輝度領域としての第１領域と、前記コード値が前記第２範囲に含まれる画素を含む高輝度領域としての第２領域とを抽出する領域抽出部と、前記ＨＤＲ映像データのうちの前記第１領域のシャープネスゲインを前記第２領域のシャープネスゲインよりも増加させることで前記ＨＤＲ映像データのシャープネスゲインを調整する調整部と、前記調整部により調整されることで得られた調整データを用いて、前記変換部において変換されることにより得られた前記ＨＤＲ映像を表示する表示部と、を備える。
【０００６】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００７】
本開示における表示装置は、ＨＤＲ映像データを変換して得られたＨＤＲ映像のシャープネスゲインを効果的に調整することができる。
【図面の簡単な説明】
【０００８】
【図１】図１は、本実施の形態に係る映像システムの概略を示す図である。
【図２】図２は、本実施の形態に係る情報処理装置のハードウェア構成の一例を示すブロック図である。
【図３】図３は、本実施の形態に係る表示装置のハードウェア構成の一例を示すブロック図である。
【図４】図４は、本実施の形態に係る配信側装置の構成の一例を示すブロック図である。
【図５】図５は、本実施の形態に係るＯＥＴＦの一例を示す図である。
【図６】図６は、本実施の形態に係る表示装置の機能構成の一例を示すブロック図である。
【図７】図７は、第１ＥＯＴＦおよび第２ＥＯＴＦの一例を示す図である。
【図８】図８は、ニーポイントコードの算出方法について説明するための図である。
【図９】図９は、トーンマッピングの一例を示す図である。
【図１０】図１０は、領域抽出部および調整部の詳細な構成の一例を示すブロック図である。
【図１１】図１１は、シャープネスゲインと各範囲において調整された後のシャープネスゲインとの一例を示す図である。
【図１２】図１２は、実施の形態に係る表示装置による表示方法の一例を示すフローチャートである。
【図１３】図１３は、領域を抽出する抽出処理の一例を示すフローチャートである。
【図１４】図１４は、シャープネスゲインを調整する調整処理の一例を示すフローチャートである。
【発明を実施するための形態】
【０００９】
（発明の基礎となった知見）
本発明者は、「背景技術」の欄において記載した、表示装置に関し、以下の問題が生じることを見出した。
【００１０】
予め配信側にてマスター映像データに対してＯＥＴＦ（Ｏｐｔｉｃａｌ  Ｅｌｅｃｔｒｉｃａｌ  Ｔｒａｎｓｆｅｒ  Ｆｕｎｃｔｉｏｎ）変換しエンコードしたＨＤＲ映像データを、デコードした後第１ＥＯＴＦを用いて変換して得られるＨＤＲ映像を表示させる表示装置において、マスター映像データの輝度データ高周波成分がエンコード、デコード処理の影響により欠損する場合がある。当該表示装置の第１ＥＯＴＦにおいて低輝度領域に相当する所定のコード値未満の第１範囲では、高輝度領域に相当する所定のコード値以上の第２範囲よりも、コード値の増加幅に対する輝度の増加幅が小さい。このため、マスター映像データのシャープネスを再現するべくＨＤＲ映像（ここでは１ピクチャの映像）の全体に共通するシャープネスゲインで画像処理すると、第１範囲のコード値を有する画素を含む第１領域と、第２範囲のコード値を有する画素を含む第２領域とで、得られるシャープネス効果の強さが異なってしまう。つまり、第１領域は第２領域よりもシャープネス効果の強さが弱くなる。
【００１１】
このように、ＨＤＲ映像では、低輝度領域としての第１領域と、高輝度領域としての第２領域とでシャープネス効果が異なるため、１枚のピクチャにおいて見え方が異なる領域が生じてしまう。そこで、本開示は、ＨＤＲ映像データを変換して得られたＨＤＲ映像のシャープネスが低減することを効果的に抑制することができる表示装置および表示方法を開示する。
【００１２】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者は、当業者が本開示を十分に理解するために添付図面および以下の説明を提供するのであって、これらによって請求の範囲に記載の主題を限定することを意図するものではない。
【００１４】
（実施の形態）
以下、図１〜図１４を用いて、実施の形態を説明する。
【００１５】
［１．構成］
図１は、本実施の形態に係る映像システムの概略を示す図である。
【００１６】
図１に示すように、映像システム１は、映像データを含む配信用データを配信する配信側装置２００と、配信された配信用データを受信する表示装置１００とを備える。
【００１７】
配信側装置２００は、カメラ２０１と、情報処理装置２０２とにより構成される。情報処理装置２０２は、ビデオカメラなどのカメラ２０１によって撮像された映像を表示装置１００に伝送させるための配信用データに変換し、伝送手段を介して表示装置１００に配信用データを送信する。
【００１８】
ここで、伝送手段は、所定のテレビジョン放送規格での放送波を送出するための手段、所定の通信プロトコルでのインターネットのようなネットワークに配信するための手段、または、所定のパッケージメディアに記録し、当該所定のパッケージメディアを販売するための手段である。本実施の形態では、伝送手段として、所定のテレビジョン放送規格での放送波を送出するための手段を用いる場合を例に説明する。
【００１９】
表示装置１００は、配信用データを受信し、受信した配信用データに含まれる映像データが示す映像を表示する。表示装置１００は、表示パネルを含む表示デバイスを筐体内に格納した、一般的なフラットパネルディスプレイの外観を有している。表示装置１００は、例えば、液晶ディスプレイ、有機ＥＬディスプレイなどである。
【００２０】
図２は、本実施の形態に係る情報処理装置のハードウェア構成の一例を示すブロック図である。
【００２１】
図２に示すように、情報処理装置２０２は、ハードウェア構成として、プロセッサ２０３と、メインメモリ２０４と、ストレージ２０５と、通信ＩＦ（Ｉｎｔｅｒｆａｃｅ）１０６と、入力ＩＦ（Ｉｎｔｅｒｆａｃｅ）２０７と、ディスプレイ２０８とを備える。
【００２２】
プロセッサ２０３は、ストレージ２０５等に記憶されたプログラムを実行するプロセッサである。
【００２３】
メインメモリ２０４は、プロセッサ２０３がプログラムを実行するときに使用するワークエリアとして用いられる揮発性の記憶領域である。
【００２４】
ストレージ２０５は、プログラムなどの各種データを保持する不揮発性の記憶領域である。
【００２５】
通信ＩＦ２０６は、通信ネットワークを介して外部機器と通信する通信インタフェースである。通信ＩＦ２０６は、例えば、有線ＬＡＮインタフェースである。なお、通信ＩＦ２０６は、無線ＬＡＮインタフェースであってもよい。また、通信ＩＦ２０６は、ＬＡＮインタフェースに限らずに、通信ネットワークとの通信接続を確立できる通信インタフェースであれば、どのような通信インタフェースであってもよい。
【００２６】
入力ＩＦ２０７は、人からの入力を受け付けるためのインタフェースである。入力ＩＦ２０５は、マウス、タッチパッド、タッチパネル、トラックボールなどのポインティングデバイスであってもよいし、キーボードであってもよい。
【００２７】
ディスプレイ２０８は、映像をマスタリングするために表示するマスターモニタである。例えば、ディスプレイ２０８は、液晶ディスプレイ、有機ＥＬディスプレイなどである。
【００２８】
図３は、本実施の形態に係る表示装置のハードウェア構成の一例を示すブロック図である。
【００２９】
図３に示すように、表示装置１００は、チューナ１０１と、デコーダ１０２と、制御回路１０３と、メモリ１０４と、表示デバイス１０５とを備える。
【００３０】
チューナ１０１は、図示しないアンテナにより受信した放送波を構成するアナログ信号をデジタル信号である符号化データへ変換し、変換することで得られた符号化データをデコーダ１０２に出力する。
【００３１】
デコーダ１０２は、チューナ１０１から取得した符号化データを復号し、復号することで得られた映像データを制御回路１０３に出力する。デコーダ１０２は、映像データとともに映像データの付加データであるメタデータをチューナ１０１から取得し、復号しても良い。復号されたメタデータは後述する制御回路１０３がメモリ１０４に一旦書き込む。メタデータは予め配信側により映像データに付加されて送信される。
【００３２】
制御回路１０３は、デコーダ１０２により出力された映像データに対して、メモリ１０４に記憶されている表示デバイス１０５の特性を示す特性情報とメタデータとに応じて画像処理を行う。制御回路１０３は、画像処理を行うことで得られた映像を、表示デバイス１０５に出力する。これにより、表示デバイス１０５は、表示デバイス１０５の特性とメタデータとに合わせた映像を表示させることができる。なお、デコーダ１０２と制御回路１０３とは、同一の回路で実現されていてもよい。また、制御回路１０３は、所定のプログラムを実行するＣＰＵなどの汎用のプロセッサにより実現されていてもよいし、専用回路により実現されていてもよい。つまり、表示装置１００の機能は、ソフトウェアにより実現されていてもよいし、ハードウェアにより実現されていてもよい。
【００３３】
メモリ１０４は、特性情報とメタデータとを記憶している。メモリ１０４は、さらに制御プログラムを記憶していてもよい。メモリ１０４は、例えば、不揮発性メモリである。
【００３４】
表示デバイス１０５は、制御回路１０３により出力された映像を表示する。表示デバイス１０５は、表示パネルであり、例えば、液晶パネル、有機ＥＬパネルなどにより構成される。
【００３５】
図４は、本実施の形態に係る配信側装置の構成の一例を示すブロック図である。
【００３６】
図４に示すように、配信側装置２００は、キャプチャ部２１０と、マスタリング部２２０と、ＯＥＴＦ（Ｏｐｔｏ−Ｅｌｅｃｔｒｏｎｉｃ  Ｔｒａｎｓｆｅｒ  Ｆｕｎｃｔｉｏｎ）変換部２３０と、エンコーダ２４０とを備える。
【００３７】
キャプチャ部２１０は、映像データの被写体を撮影してデジタル映像データに変換して出力する。キャプチャ部２１０は、例えば、カメラ２０１により実現される。
【００３８】
マスタリング部２２０は、キャプチャ部２１０から得られた映像データをマスターモニタに表示しつつ、映像の制作者からの入力に応じて制作者が意図した輝度や色合いに映像を調整する処理を実行することで、配信用の映像を示す映像データであるマスターデータを生成する。マスタリング部２２０は、例えば、情報処理装置２０２の、プロセッサ２０３、メインメモリ２０４、ストレージ２０５、入力ＩＦ２０７およびディスプレイ２０８により実現される。
【００３９】
ＯＥＴＦ変換部２３０は、ＨＤＲ映像データで配信する場合に適応される輝度データを、図５に示すＯＥＴＦを用いて、コード値に変換するＯＥＴＦ変換を実行する。ＯＥＴＦ変換部２３０は、配信側装置２００がＨＤＲ映像データを配信する場合にＯＥＴＦ変換を実行してもよいし、配信側装置２００がＨＤＲ映像データを配信する前に事前にＯＥＴＦ変換を実行してもよい。後者の場合、変換後のＨＤＲ映像データは、ストレージ２０５に記憶される。ＯＥＴＦ変換は、後述するＥＯＴＦ変換の逆変換特性を持つ。
【００４０】
図５は、本実施の形態に係るＯＥＴＦの一例を示す図である。
【００４１】
ＯＥＴＦは、図５に示すように、例えばＰＱカーブの逆変換カーブである。ＰＱカーブは、ＳＭＰＴＥ  ２０８４規格で定義されているＥＯＴＦカーブである。ＯＥＴＦ変換部２３０は、マスタリング部２２０において生成されたマスターデータに対して、ＯＥＴＦ変換し、変換後のＨＤＲ映像データを出力する。ＯＥＴＦ変換部２３０は、例えば、情報処理装置２０２の、プロセッサ２０３、メインメモリ２０４およびストレージ２０５により実現される。
【００４２】
エンコーダ２４０は、ＯＥＴＦ変換部２３０において変換された後のＨＤＲ映像データに対し、映像圧縮規格による圧縮を実行し、圧縮により得られた配信用データを伝送路へ出力する。なお、図示していないが、エンコーダ２４０が出力する圧縮された配信用データは、音声データ、メタデータなどの映像データ以外のデータを含んでいてもよい。エンコーダ２４０は、例えば、情報処理装置２０２の、プロセッサ２０３、メインメモリ２０４、ストレージ２０５、通信ＩＦ２０６により実現される。
【００４３】
次に、表示装置の機能構成について説明する。
【００４４】
図６は、本実施の形態に係る表示装置の機能構成の一例を示すブロック図である。
【００４５】
図６に示すように、表示装置１００は、機能構成として、取得部１１０と、制御部１２０と、記憶部１３０と、領域抽出部１４０と、調整部１５０と、変換部１７０と、表示部１８０とを備える。
【００４６】
取得部１１０は、伝送手段を介して配信用データを取得する。そして、取得部１１０は、配信用データをデコードすることにより、ＨＤＲ（Ｈｉｇｈ  Ｄｙｎａｍｉｃ  Ｒａｎｇｅ）映像データを取得する。つまり、取得部１１０は、配信側にてＯＥＴＦ変換されており、各画素の輝度がコード値で表されているＨＤＲ映像データを取得する。取得部１１０は、例えば、チューナ１０１、デコーダ１０２などにより実現される。取得部１１０は映像データとともにメタデータを取得しても良い。
【００４７】
制御部１２０は、ＨＤＲ映像データが含むコード値を、ＨＤＲ映像の輝度に変換するための第１ＥＯＴＦ（Ｅｌｅｃｔｒｏ−ｏｐｔｉｃａｌ  Ｔｒａｎｓｆｅｒ  Ｆｕｎｃｔｉｏｎ）を、ＨＤＲ映像を表示デバイス１０５で表示できるように調整（つまりトーンマッピング）することで、図７に示すような第２ＥＯＴＦを生成してもよい。第１ＥＯＴＦは、例えば、ＰＱカーブである。ＰＱカーブは、ＳＭＰＴＥ  ２０８４規格で定義されているＥＯＴＦである。第２ＥＯＴＦは、例えば、ＨＤＲ映像の輝度の最大値（例えば、１０，０００ｎｉｔ）を表示デバイス１０５が表示可能な最大輝度である表示最大輝度となるように、第１ＥＯＴＦをトーンマッピングすることにより得られる、コード値と輝度との関係を示す曲線である。つまり、第２ＥＯＴＦは、表示部１８０が表示可能な最大輝度を示す表示最大輝度を超えた輝度に対応するコード値を有するＨＤＲ映像データを、表示最大輝度を最大輝度とするＨＤＲ映像に変換するためのＥＯＴＦである。第２ＥＯＴＦは、コード値がニーポイントコードを超える範囲において第１ＥＯＴＦとは異なる曲線、具体的には、第１ＥＯＴＦよりも輝度が小さい曲線を有する。なお、図７は、第１ＥＯＴＦおよび第２ＥＯＴＦの一例を示す図である。ＰＱカーブ以外にＨＬＧ（Ｈｙｂｒｉｄ  Ｌｏｇ  Ｇａｍｍａ）カーブもあるが、ＨＤＲ映像がＰＱカーブあるいはＨＬＧカーブでＯＥＴＦ（Ｏｐｔｏ−Ｅｌｅｃｔｒｏｎｉｃ  Ｔｒａｎｓｆｅｒ  Ｆｕｎｃｔｉｏｎ）変換されているかどうかは、メタデータに記述されており、メタデータを参照することで分かる。
【００４８】
図７に示すように、第１ＥＯＴＦおよび第２ＥＯＴＦは、コード値と輝度との対応を示し、コード値を輝度に変換するためのものである。つまり、第１ＥＯＴＦおよび第２ＥＯＴＦは、複数のコード値と輝度との対応関係を示す関係情報である。第１ＥＯＴＦおよび第２ＥＯＴＦは、図７に示す曲線を表す式で表されてもよいし、テーブルで表されてもよい。例えば、ＨＤＲに対応した映像の輝度を１０ビットの階調のコード値で表現する場合、１０，０００ｎｉｔまでのＨＤＲの輝度範囲における輝度は、量子化されて、０〜１０２３までの１０２４個の整数値にマッピングされる。
【００４９】
つまり、ＨＤＲ映像データは、１０，０００ｎｉｔまでの輝度範囲の映像の輝度（ＨＤＲに対応した映像の輝度）が、ＥＯＴＦの逆関数であるＯＥＴＦに基づいて量子化されることで得られる１０ビットのコード値であるＨＤＲ信号を含む。ＨＤＲに対応したＥＯＴＦ（以下、「ＨＤＲのＥＯＴＦ」という。）においては、ＳＤＲに対応したＥＯＴＦ（以下、「ＳＤＲのＥＯＴＦ」という。）よりも高い輝度を表現することが可能であり、例えば、図７においては、輝度の最大値（ピーク輝度）は、１０，０００ｎｉｔである。ＨＤＲの輝度の最大値は、ＳＤＲの輝度の最大値より大きい。ＨＤＲは、ＳＤＲの最大値である１００ｎｉｔから、ＨＤＲの輝度の最大値（例えば１０，０００ｎｉｔ）まで、最大値を拡大したダイナミックレンジを有する。
【００５０】
制御部１２０は、取得部１１０から得られた映像データを解析することで、画像処理に用いる映像データの輝度特性を示す輝度特性情報を生成する。制御部１２０は、具体的には、輝度特性情報として、ニーポイントコードＣ１およびデルタポイントコードＣ２〜Ｃ４を含む複数の閾値を生成し、生成した複数の閾値を領域抽出部１４０に出力する。制御部１２０は、複数の閾値としての、ニーポイントコードＣ１およびデルタポイントコードＣ２〜Ｃ４を次に示すように算出する。
【００５１】
図８は、ニーポイントコードの算出方法について説明するための図である。
【００５２】
制御部１２０は、例えば、ＨＤＲ映像データの複数のピクチャのそれぞれにおけるコード値であって、当該ピクチャの複数の画素を、コード値が小さい画素から順に並べたときの全画素の所定の割合の数の順位に対応する画素のコード値を算出し、算出したコード値をニーポイントコードＣ１として生成してもよい。制御部１２０は、図８に示すように、複数のピクチャのそれぞれについて、当該ピクチャが有する画素のコード値に応じたＩｎｄｅｘ値ごとにカウントした輝度ヒストグラムを生成する。そして、制御部１２０は、輝度ヒストグラムの累積値が全画素の８０％に対応するコード値、つまり、輝度が小さい画素を全画素の８０％まで抽出した場合の最大コード値をニーポイントコードＣ１として生成する。配信側にて、予め映像データのヒストグラムを生成し同様にニーポイントコードＣ１を生成して、ニーポイントコードＣ１をメタデータに付加して送信しても良い。
【００５３】
デルタポイントコードＣ２〜Ｃ４は、図７に示すように、ＥＯＴＦ上の点における接線の傾きが所定の傾きとなる点に対応するコード値である。図７では、所定の傾きとなる直線が破線で示されている。
【００５４】
制御部１２０は、第１ＥＯＴＦ上の点における接線の傾きが所定の傾きである１点に対応するコード値をデルタポイントコードＣ２として算出する。第１ＥＯＴＦは、コード値が大きくなるに従って、第１ＥＯＴＦ上の点における接線の傾きが大きくなる特徴を有する。この第１ＥＯＴＦの特徴は、第１ＥＯＴＦの全てのコード値の範囲にわたっている。ディスプレイの輝度特性を補正するためのガンマ補正と比較すると、ガンマ補正カーブは、コード値が大きくなるに従って、接線の傾きが小さくなる特徴を有する。このガンマ補正カーブの特徴は、ガンマ補正カーブの全てのコード値の範囲にわたっている。つまり、ガンマ補正カーブは、第１ＥＯＴＦとは逆の特徴となる。
【００５５】
また、制御部１２０は、第２ＥＯＴＦ上の点における接線の傾きが所定の傾きである２点に対応するコード値をデルタポイントコードＣ３、Ｃ４として算出する。なお、デルタポイントコードＣ３は、第２ＥＯＴＦ上の点であって、コード値が大きくなるに従って、接線の傾きが所定の傾き未満から所定の傾き以上に変化する第１の点（変化点）に対応するコード値である。また、デルタポイントコードＣ４は、第２ＥＯＴＦ上の点であって、コード値が大きくなるに従って、接線の傾きが所定の傾き以上から所定の傾き未満に変化する第２の点（変化点）に対応するコード値である。つまり、第２ＥＯＴＦは、第１の点および第２の点である２つの変化点を有する。
【００５６】
所定の傾きは、例えば、１である。所定の傾きは、０．９から１．１までの値であれば１でなくてもよい。
【００５７】
なお、制御部１２０は、デルタポイントコードＣ２〜Ｃ４を算出する場合において、所定の傾きである点に一致するコード値が無い場合、つまり、所定の傾きである点が２つのコード値の間にある場合、より近い方のコード値を対応するコード値として算出してもよいし、大きい方のコード値を対応するコード値として算出してもよいし、小さい方のコード値を対応するコード値として算出してもよい。
【００５８】
図９は、トーンマッピングの一例を示す図である。
【００５９】
制御部１２０は、トーンマッピングにおいて、ＨＤＲ映像データのメタデータのうちのＨＤＲ映像のニーポイントとＭａｘＣＬＬ（Ｍａｘｉｍｕｍ  Ｃｏｎｔｅｎｔ  Ｌｉｇｈｔ  Ｌｅｖｅｌ）とを用い、ニーポイント以下の輝度は、変換の前後で同一とし、ＭａｘＣＬＬ付近以上の輝度に対してのみ輝度を調整することで、第１ＥＯＴＦから第２ＥＯＴＦを生成する。
【００６０】
つまり、制御部１２０は、図９に示すように、トーンマッピングにおいて、ＨＤＲ映像データの輝度がニーポイント以下の場合、当該ＨＤＲ映像データの輝度を変換せず、当該ＨＤＲ映像データの輝度を、表示デバイス１０５に表示させる輝度とする第２ＥＯＴＦを生成する。また、制御部１２０は、当該ＨＤＲ映像データの輝度がＭａｘＣＬＬ以上の場合、当該ＨＤＲ映像データの輝度を、表示最大輝度とする第２ＥＯＴＦを生成する。
【００６１】
なお、ニーポイントとは、第１ＥＯＴＦにおいてニーポイントコードＣ１に対応付けられている輝度である。ＭａｘＣＬＬとは、コンテンツ内の全ピクチャにおける、画素の最大輝度を示す値である。つまり、ＭａｘＣＬＬは、映像の最大輝度または映像のピーク輝度である。ＭａｘＣＬＬとニーポイントとは、配信側にて予め生成され、メタデータとして送信された物を使用しても良い。
【００６２】
また、制御部１２０は、映像の輪郭を補正するためのシャープネスゲインおよび所定の補正値（後述参照）を示す記憶部１３０から取得し、取得したシャープネスゲイン、および、算出したニーポイントコードＣ１に基づいてシャープネスゲインカーブを生成してもよい。なお、シャープネスゲインは、映像の輪郭補正に用いられる基準値を示し、シャープネスゲインカーブは、映像の輪郭補正に用いられる基準値が調整された後の値を示す。シャープネスゲインカーブは、ＨＤＲ映像データが第１ＥＯＴＦを用いて変換される場合に用いられる第１シャープネスゲインカーブと、ＨＤＲ映像データが第２ＥＯＴＦを用いて変換される場合に用いられる第２シャープネスゲインカーブとを含む。
【００６３】
なお、制御部１２０は、例えば、制御回路１０３により実現される。
【００６４】
記憶部１３０は、表示最大輝度、シャープネスゲイン、および、所定の補正値を記憶している。記憶部１３０は、表示装置１００の他の表示特性を記憶していてもよい。記憶部１３０は、例えば、メモリ１０４により実現される。
【００６５】
領域抽出部１４０は、ＨＤＲ映像データの複数のピクチャのそれぞれを構成する全画素のそれぞれのコード値を判定することで、領域を抽出する。領域抽出部１４０は、具体的には、変換部１７０が用いるＥＯＴＦにおいて、当該ＥＯＴＦ上の点における接線の傾きが所定の傾きとなる点に対応するコード値（つまり、デルタポイントコードＣ２〜Ｃ４）と、ニーポイントコードＣ１とを境界として分割される複数の範囲のそれぞれについて、当該範囲に含まれるコード値を有する画素を同じ領域として抽出する。つまり、領域抽出部１４０は、複数の範囲のそれぞれに対応する領域を抽出する。複数の領域のそれぞれは、各ピクチャにおいて抽出される。複数の領域のそれぞれは、１つも画素を含まない場合もあれば、１つの画素だけを含む場合もあれば、複数の画素を含む場合もある。複数の領域は、画素毎にコード値の範囲の違いでラベリングすることにより得られる情報であるとも言える。領域抽出部１４０の具体的な処理は後述する。領域抽出部１４０は、例えば、制御回路１０３により実現される。
【００６６】
調整部１５０は、領域抽出部１４０において抽出された複数の領域に基づいて、当該領域におけるシャープネスを、領域ごとに対応付けられたシャープネスゲインで調整する。調整部１５０は、シャープネスゲインが高い場合、シャープネス効果を強くするように、映像の輪郭を強調する。具体的には、調整部１５０は、ＨＤＲ映像データのうちで、変換部１７０が用いるＥＯＴＦ上の点における接線の傾きであって、当該画素のコード値が対応する点における接線の傾きが所定の傾き未満である画素を含む領域のシャープネスゲインを、当該接線の傾きが所定の傾き以上である画素を含む領域のシャープネスゲインよりも増加させることでＨＤＲ映像データのシャープネスゲインを調整する。調整部１５０の具体的な処理は後述する。調整部１５０は、例えば、制御回路１０３により実現される。
【００６７】
シャープネスゲインを調整する理由を説明する。配信側装置２００で生成されたマスターデータの輝度データ高周波成分は、エンコード処理またはデコード処理の影響により欠損する場合がある。配信側装置２００で用いられるＯＥＴＦの特性は、輝度値が低くなるに従って、ＯＥＴＦ上の点における接線の傾きが大きくなる特徴を有する。つまり、ＯＥＴＦ変換後の映像データは、低輝度側の方が、輝度値の増加幅に対するコード値の増加幅が大きく高周波成分を多く含むことから、エンコード処理またはデコード処理の影響により高周波成分を欠損する場合が多い。さらに、表示装置１００で用いられるＥＯＴＦは、低輝度領域に相当する所定のコード値未満の領域においては、高輝度領域に相当する所定のコード値以上の領域においてよりも、コード値の増加幅に対する輝度の増加幅が小さい特徴を有する。このため、ＯＥＴＦ変換されたＨＤＲ映像（ここでは１ピクチャの映像）の全体に対して、共通するシャープネスゲインで画像処理すると、画像処理後の映像は、マスターデータの映像と比較して、低輝度領域のシャープネス効果が高輝度領域のシャープネス効果より相対的に低くなるため、１枚のピクチャにおいて互いに見え方が異なる複数の領域を有することとなる。そこで、１枚のピクチャに、互いに見え方が異なる複数の領域が生じることを抑制するために、調整部１５０は、ＨＤＲ映像データのうちで、変換部１７０が用いるＥＯＴＦ上の点における接線の傾きであって、当該画素のコード値が対応する点における接線の傾きが所定の傾き未満である画素を含む領域のシャープネスゲインを、当該接線の傾きが所定の傾き以上である画素を含む領域のシャープネスゲインよりも増加させ、低輝度部の輪郭をより強調する調整を行う。
【００６８】
変換部１７０は、ＨＤＲ映像データを第１ＥＯＴＦを用いてＨＤＲ映像に変換する。具体的には、変換部１７０は、コード値で表されているＨＤＲ映像データを、第１ＥＯＴＦにおいて各コード値に対応する輝度に変換する。また、変換部１７０は、第１ＥＯＴＦを用いた変換と、第２ＥＯＴＦを用いた変換とを、ＨＤＲ映像データの最大輝度であるＭａｘＣＬＬに応じて選択的に切り替えて行ってもよい。具体的には、変換部１７０は、ＭａｘＣＬＬと表示デバイス１０５の表示最大輝度とを比較し、ＭａｘＣＬＬが表示最大輝度よりも大きい場合に、第２ＥＯＴＦを用いた変換を行い、ＭａｘＣＬＬが表示最大輝度以下の場合に、第１ＥＯＴＦを用いた変換を行う。このように、変換部１７０は、映像データにメタデータとして含まれる映像データが示す映像の最大輝度であるＭａｘＣＬＬと、記憶部１３０に記憶されている表示デバイス１０５の最大輝度である表示最大輝度とを比較し、表示最大輝度よりも映像の最大輝度が大きい場合に、第２ＥＯＴＦを用いた変換を行うことで、映像の最大輝度を表示最大輝度に合わせた輝度に調整することができる。
【００６９】
変換部１７０は、ＭａｘＣＬＬの代わりにピクチャごとの最大輝度を用いて、ＨＤＲ映像データのピクチャごとに上記の切り替えを行ってもよいし、ＭａｘＣＬＬの代わりにシーンごとの最大輝度を用いてＨＤＲ映像データのシーンごとに上記の切り替えを行ってもよい。
【００７０】
変換部１７０は、例えば、制御回路１０３により実現される。
【００７１】
表示部１８０は、調整部１５０により調整されることで得られた調整データを用いて、変換部１７０において変換されることにより得られたＨＤＲ映像を表示する。表示部１８０は、取得部１１０により取得された映像データがＳＤＲ映像データである場合には、ＳＤＲ映像を表示してもよい。表示部１８０は、例えば、表示デバイス１０５により実現される。
【００７２】
次に、領域抽出部１４０および調整部１５０の具体的な処理について図１０および図１１を用いて説明する。
【００７３】
図１０は、領域抽出部および調整部の詳細な構成の一例を示すブロック図である。図１１８は、シャープネスゲインと各範囲において調整された後のシャープネスゲインとの一例を示す図である。
【００７４】
図１０に示すように、領域抽出部１４０は、第１抽出部１４１と、第２抽出部１４２と、第３抽出部１４３と、第４抽出部１４４とを有する。第１〜第４抽出部１４１〜１４４は、取得部１１０により取得された映像データと、制御部１２０により算出されたニーポイントコードＣ１およびデルタポイントコードＣ２〜Ｃ４のいずれかとを用いて、以下の各処理を行う。
【００７５】
第１抽出部１４１は、変換部１７０が第１ＥＯＴＦを用いた変換を行う場合も、第２ＥＯＴＦを用いた変換を行う場合も、ＨＤＲ映像データを用いて、ニーポイントコードＣ１未満の画素を含む領域を領域Ａとして抽出する。つまり、第１抽出部１４１は、図１１における第１範囲に含まれるコード値を有する画素を領域Ａとして抽出する。図７から分かるように、領域Ａは輝度が最も低い領域である。
【００７６】
第２抽出部１４２は、変換部１７０が第１ＥＯＴＦを用いた変換を行う場合、ＨＤＲ映像データを用いて、ニーポイントコードＣ１以上デルタポイントコードＣ２未満の画素を含む領域を領域Ｂとして抽出する。つまり、この場合、第２抽出部１４２は、図１１における第２範囲に含まれるコード値を有する画素を領域Ｂとして抽出する。
【００７７】
また、第２抽出部１４２は、変換部１７０が第２ＥＯＴＦを用いた変換を行う場合、ＨＤＲ映像データを用いて、ニーポイントコードＣ１以上デルタポイントコードＣ３未満の画素を含む領域を領域Ｂとして抽出する。つまり、この場合、第２抽出部１４２は、図１１における第２範囲および第３範囲に含まれるコード値を有する画素を領域Ｂとして抽出する。領域Ｂは領域Ａより輝度が高い領域である。
【００７８】
第３抽出部１４３は、変換部１７０が第１ＥＯＴＦを用いた変換を行う場合、ＨＤＲ映像データを用いて、デルタポイントコードＣ２以上の画素を含む領域を領域Ｃとして抽出する。つまり、この場合、第３抽出部１４３は、図１１における第３範囲、第４範囲および第５範囲に含まれるコード値を有する画素を領域Ｃとして抽出する。
【００７９】
また、第３抽出部１４３は、変換部１７０が第２ＥＯＴＦを用いた変換を行う場合、ＨＤＲ映像データを用いて、デルタポイントコードＣ３以上デルタポイントコードＣ４未満の画素を含む領域を領域Ｃとして抽出する。つまり、この場合、第３抽出部１４３は、図１１における第４範囲に含まれるコード値を有する画素を領域Ｃとして抽出する。領域Ｃは領域Ｂより輝度が高い領域である。
【００８０】
第４抽出部１４４は、変換部１７０が第１ＥＯＴＦを用いた変換を行う場合、処理を行わない。また、第４抽出部１４４は、変換部１７０が第２ＥＯＴＦを用いた変換を行う場合、ＨＤＲ映像データを用いて、デルタポイントコードＣ４以上の画素を含む領域を領域Ｄとして抽出する。つまり、この場合、第４抽出部１４４は、図１１における第５範囲に含まれるコード値を有する画素を領域Ｄとして抽出する。領域Ｄは、第２ＥＯＴＦにおいて、領域Ｃより輝度が高い領域である。
【００８１】
このように、領域抽出部１４０は、変換部１７０が第１ＥＯＴＦを用いた変換を行う場合、ＨＤＲ映像データの各画素について、当該画素のコード値がニーポイントコードＣ１未満の範囲Ａ（つまり、第３範囲）に含まれるか、ニーポイントコードＣ１以上デルタポイントコードＣ２未満の範囲Ｂ（つまり、第４範囲）に含まれるか、デルタポイントコードＣ２以上の範囲Ｃ〜Ｅ（つまり、第２範囲）に含まれるかを判定する。そして、領域抽出部１４０は、判定結果に応じて、範囲Ａに含まれる画素を含む領域Ａ（つまり、第３領域）と、範囲Ｂに含まれる画素を含む領域Ｂ（第４領域）と、範囲Ｃ〜Ｅに含まれる画素を含む領域Ｃ（つまり、第２領域）とを抽出する。
【００８２】
また、領域抽出部１４０は、変換部１７０が第２ＥＯＴＦを用いた変換を行う場合、ＨＤＲ映像データの各画素について、当該画素のコード値がニーポイントコードＣ１未満の範囲Ａ（つまり、第９範囲）に含まれるか、ニーポイントコードＣ１以上デルタポイントコードＣ３未満の範囲Ｂ、Ｃ（つまり、第１０範囲）に含まれるか、デルタポイントコードＣ３以上デルタポイントコードＣ４未満の範囲Ｄ（つまり、第６範囲）に含まれるか、デルタポイントコードＣ４以上の範囲Ｅ（つまり、第８範囲）に含まれるかを判定する。そして、領域抽出部１４０は、判定結果に応じて、範囲Ａに含まれる画素を含む領域Ａ（つまり、第９領域）と、範囲Ｂ、Ｃに含まれる画素を含む領域Ｂ（つまり、第１０領域）と、範囲Ｄに含まれる画素を含む領域Ｃ（つまり、第６領域）と、範囲Ｅに含まれる画素を含む領域Ｄ（つまり、第８領域）とを抽出する。
【００８３】
各領域Ａ、Ｂ、Ｃ、Ｄは輝度の高低により分割できることから、入力映像データのコード値と各閾値としてのニーポイントコードＣ１およびデルタポイントコードＣ２、Ｃ３、Ｃ４を比較して抽出することが可能である。
【００８４】
また、図１０に示すように、調整部１５０は、第１調整部１５１と、第２調整部１５２と、第３調整部１５３と、第４調整部１５４と、第５調整部１５５と、第１設定部１５６と、第２設定部１５７と、第３設定部１５８と、第４設定部１５９と、第５設定部１６０とを有する。第１〜第５設定部１５６〜１６０は、制御部１２０により出力されたシャープネスゲインおよびシャープネスゲインカーブを用いて、以下の各処理を行う。
【００８５】
第１設定部１５６は、変換部１７０が第１ＥＯＴＦを用いた変換を行う場合も、第２ＥＯＴＦを用いた変換を行う場合も、シャープネスゲインと、第１シャープネスゲインカーブまたは第２シャープネスゲインカーブを用いて、ゲインＡを、範囲Ａにおける基準値からの差分値ΔＧＢに設定する。ゲインＡは、正の値である。第１調整部１５１は、ゲインＡを用いて領域Ａのシャープネスゲインを調整し、調整後のデータＡを出力する。
【００８６】
第２設定部１５７は、変換部１７０が第１ＥＯＴＦを用いた変換を行う場合、シャープネスゲインおよび第１シャープネスゲインカーブを用いて、ゲインＢを、範囲Ｂにおける基準値からの差分値ΔＧＡに設定する。ゲインＢは、正の値である。第２調整部１５２は、ゲインＢを用いて領域Ｂのシャープネスゲインを調整し、調整後のデータＢを出力する。
【００８７】
また、第２設定部１５７は、変換部１７０が第２ＥＯＴＦを用いた変換を行う場合、シャープネスゲインおよび第２シャープネスゲインカーブを用いて、ゲインＢを、範囲Ｂ、Ｃにおける基準値からの差分値ΔＧＢに設定する。ゲインＢは、正の値である。第２調整部１５２は、ゲインＢを用いて領域Ｂのシャープネスゲインを調整し、調整後のデータＢを出力する。
【００８８】
第３設定部１５８は、変換部１７０が第１ＥＯＴＦを用いた変換を行う場合、シャープネスゲインおよび第１シャープネスゲインカーブを用いて、ゲインＣを、範囲Ｃ〜Ｅにおける基準値からの差分値ΔＧＤに設定する。ゲインＣは、負の値である。第３調整部１５３は、ゲインＣを用いて領域Ｃのシャープネスゲインを調整し、調整後のデータＣを出力する。
【００８９】
また、第３設定部１５８は、変換部１７０が第２ＥＯＴＦを用いた変換を行う場合、シャープネスゲインおよび第２シャープネスゲインカーブを用いて、ゲインＣを、範囲Ｄにおける基準値からの差分値ΔＧＣに設定する。ゲインＣは、負の値である。第３調整部１５３は、ゲインＣを用いて領域Ｃのシャープネスゲインを調整し、調整後のデータＣを出力する。
【００９０】
第４設定部１５９および第４調整部１５４は、変換部１７０が第１ＥＯＴＦを用いた変換を行う場合、処理を行わない。また、第４設定部１５９は、変換部１７０が第２ＥＯＴＦを用いた変換を行う場合、シャープネスゲインおよび第２シャープネスゲインカーブを用いて、ゲインＤを、範囲Ｅにおける基準値からの差分値ΔＧＢに設定する。ゲインＤは、正の値である。第４調整部１５４は、ゲインＤを用いて領域Ｄのシャープネスゲインを調整し、調整後のデータＤを出力する。
【００９１】
第５設定部１６０は、変換部１７０が第１ＥＯＴＦを用いた変換を行う場合も、第２ＥＯＴＦを用いた変換を行う場合も、ゲインＥとして、基準値のままのシャープネスゲインを設定する。第５調整部１５５は、ゲインＥを用いてＨＤＲ映像データの全領域のシャープネスゲインを調整し、調整後のデータＥを出力する。
【００９２】
調整部１５０は、変換部１７０が第１ＥＯＴＦを用いた変換を行う場合には、領域Ａ〜Ｃのそれぞれについて、当該領域に対応するゲインＡ〜Ｃでシャープネスゲインを調整することにより得られたデータＡ〜Ｃを、それぞれ、全領域のシャープネスゲインを基準値で調整することにより得られたデータＥの各領域Ａ〜Ｃに加算した調整データを出力する。また、調整部１５０は、変換部１７０が第２ＥＯＴＦを用いた変換を行う場合には、領域Ａ〜Ｄのそれぞれについて、当該領域に対応するゲインＡ〜Ｄでシャープネスゲインを調整することにより得られたデータＡ〜Ｄを、それぞれ、全領域のシャープネスゲインを基準値で調整することにより得られたデータＥの各領域Ａ〜Ｄに加算した調整データを出力する。
【００９３】
このように、調整部１５０は、変換部１７０が第１ＥＯＴＦを用いた変換を行う場合、領域Ａ（つまり、第３領域）のシャープネスゲインを基準値から差分値ΔＧＢ（つまり、第１の値）だけ増加させ、領域Ｂ（つまり、第４領域）のシャープネスゲインを基準値から、差分値ΔＧＢより小さい差分値ΔＧＡ（つまり、第２の値）だけ増加させ、領域Ｃ（つまり、第２領域）のシャープネスゲインを基準値から差分値ΔＧＤ（つまり、第３の値）だけ減少させる。
【００９４】
なお、図７においてΔ輝度／Δコード値を１点における傾きとすると、第１ＥＯＴＦ上において、デルタポイントコードＣ２における接線の傾きが１．０であり、コード値が０の点からニーポイントコードＣ１までの範囲Ａにおける接線の傾きの平均が０．０５であり、ニーポイントコードＣ１からデルタポイントコードＣ２までの範囲Ｂにおける接線の傾きの平均が０．３３であり、デルタポイントコードＣ２から最大コード値Ｃ５までの範囲Ｃ〜Ｅにおける接線の傾きの平均が３．３であるとみなすことができる。範囲Ａ、範囲Ｂおよび範囲Ｃ〜Ｅのそれぞれに割り当てられる接線の数は１つでも良いし４つでも良い。範囲Ａ、範囲Ｂおよび範囲Ｃ〜Ｅのそれぞれに割り当てられる接線の傾きは、それら割り当てられた接線の中から単一選択したものを代表値として決定されても良く、あるいは複数選択した傾きの平均値を代表値として決定されても良い。このように算出された、範囲Ａ、範囲Ｂおよび範囲Ｃ〜Ｅそれぞれの接線の傾きが、当該範囲が対応する領域のシャープネスゲインカーブ算出の基礎データとなる。
【００９５】
例えば、デルタポイントコードＣ２におけるシャープネスゲインカーブをシャープネスゲインと同一となる１.０と定義すると、範囲Ａにおける接線の傾きの平均が０．０５であるため、範囲Ａのシャープネスゲインカーブは、１．０×（１／０．０５）＝２０．０となる。よって、範囲Ａには、２０．０に相当するΔＧＢが設定される。また、同様に、範囲Ｂの場合は、範囲Ｂにおける接線の傾きの平均が０．３３であるため、範囲Ｂのシャープネスゲインカーブは、１．０×（１／０．３３）＝３．０となり、３．０に相当するΔＧＡが設定される。同様に、範囲Ｃ〜Ｅの場合は、範囲Ｃ〜Ｅにおける接線の傾きの平均が３．３であるため、範囲Ｃ〜Ｅのシャープネスゲインカーブは、１．０×（１／３．３）＝０．３となり、０．３に相当するΔＧＤ（１．０以下であるためマイナス値）が設定される。
【００９６】
以上のように各差分値ΔＧＡ、ΔＧＢ、ΔＧＤは基準となるデルタポイントコードＣ２のシャープネスゲインカーブと各接線の傾きとの掛け算により求められたシャープネスゲインカーブにより設定される。求められたシャープネスゲインの計算値をそのまま使用しても良いし、リミッターを設けて上限値および下限値を決めても良いし、それぞれの差分値を丸めても良い。例えば最大５．０（つまり上限値）、および、最小０．４（つまり下限値）のリミッターを設けた場合、シャープネスゲインカーブは、範囲Ａにおいて５．０となり、範囲Ｂにおいて３．０となり、範囲Ｃにおいて０．４となり、最終的にこれらのシャープネスゲインを実現する値が差分値ΔＧＡ、ΔＧＢ、ΔＧＤとして設定される。
【００９７】
また、図１１のシャープネスゲインカーブは、ニーポイントコードＣ１、および、デルタポイントコードＣ２において、傾きがないオフセットする形状を有しているが、これに限らずに、ニーポイントコードＣ１、および、デルタポイントコードＣ２において傾きがある形状を有していても良い。例えば、シャープネスゲインカーブは、デルタポイントコードＣ２のシャープネスゲインをシャープネスゲインと同じ値となるように設定し、デルタポイントコードＣ２よりもニーポイントコードＣ１側は直ちにΔＧＡに上げずに一定の傾きをもってなだらかに上がる形状を有していても良く、デルタポイントコードＣ２よりもデルタポイントコードＣ３側も直ちにΔＧＤに下げずに一定の傾きをもってなだらかに下がる形状を有していても良い。
【００９８】
このように、表示装置１００では、第１ＥＯＴＦを用いて得られるＨＤＲ映像を表示する場合、第１領域においてさらにニーポイントコードを境界として第３領域および第４領域に分割し、第３領域のシャープネスゲインを、第４領域のシャープネスゲインよりも増加させることで、異なる画素間のシャープネスゲインの変化率の均一化を図っている。これにより、第１領域においても、第３領域のシャープネス効果を、高輝度領域としての第４領域のシャープネス効果に近づけることができる。よって、第１ＥＯＴＦを用いてＨＤＲ映像データを変換することで得られたＨＤＲ映像のシャープネスが低減することを効果的に抑制することができる。
【００９９】
また、調整部１５０は、変換部１７０が第２ＥＯＴＦを用いた変換を行う場合、領域Ａ（つまり、第９領域）のシャープネスゲインを基準値から差分値ΔＧＢ（つまり、第４の値）だけ増加させ、領域Ｂ（つまり、第１０領域）のシャープネスゲインを基準値から差分値ΔＧＢ（つまり、第４の値）だけ増加させ、領域Ｃ（つまり、第６領域）のシャープネスゲインを基準値から差分値ΔＧＣ（つまり、第５の値）だけ減少させ、領域Ｄ（つまり、第８領域）のシャープネスゲインを基準値から差分値ΔＧＢ（つまり、第４の値）だけ増加させる。
【０１００】
なお、第１ＥＯＴＦの場合と同様に、図７においてΔ輝度／Δコード値を１点における傾きとすると、第２ＥＯＴＦ上のデルタポイントコードＣ３、および、デルタポイントコードＣ４における接線の傾きが１．０であり、範囲Ａにおける接線の傾きの平均が０．０５であり、ニーポイントコードＣ１からデルタポイントコードＣ３までの範囲Ｂ〜Ｃにおける接線の傾きの平均が０．２２であり、デルタポイントコードＣ３からデルタポイントコードＣ４までの範囲Ｄにおける接線の傾きの平均が１．５であり、デルタポイントコードＣ４から最大コード値Ｃ５までの範囲Ｅにおける接線の傾きの平均が０．５であるとみなすことができる。範囲Ａ、範囲Ｂ〜Ｃ、範囲Ｄおよび範囲Ｅそれぞれの接線の傾きが、当該範囲が対応する領域のシャープネスゲインカーブ算出の基礎データとなる。
【０１０１】
例えば、デルタポイントコードＣ３、Ｃ４におけるシャープネスゲインカーブをシャープネスゲインと同一となる１.０と定義すると、範囲Ａにおける接線の傾きの平均が０．０５であるため、範囲Ａのシャープネスゲインカーブは、１．０×（１／０．０５）＝２０．０となる。よって、範囲Ａには、２０．０に相当するΔＧＢが設定される。また、同様に、範囲Ｂ〜Ｃの場合は、範囲Ｂ〜Ｃにおける接線の傾きの平均が０．２２であるため、範囲Ｂ〜Ｃのシャープネスゲインカーブは、１．０×（１／０．２２）＝４．５となり、４．５に相当するΔＧＢが設定される。同様に、範囲Ｄの場合は、範囲Ｄにおける接線の傾きの平均が１．５であるため、範囲Ｄのシャープネスゲインカーブは、１．０×（１／１．５）＝０．６となり、０．６に相当するΔＧＣが設定される。同様に、範囲Ｅの場合は、範囲Ｅにおける接線の傾きの平均が０．５であるため、範囲Ｅのシャープネスゲインカーブは、１．０×（１／０．５）＝２．０となり、２．０に相当するΔＧＢが設定される。
【０１０２】
以上のように各差分値は基準となるデルタポイントコードＣ３、Ｃ４のシャープネスゲインカーブと各接線の傾きとの掛け算により求められたシャープネスゲインカーブにより設定される。求められたシャープネスゲインの計算値をそのまま使用しても良いし、リミッターを設けて上限値および下限値を決めても良いし、それぞれの差分値を丸めても良い。例えば最大５．０（つまり上限値）、および、最小０．７（つまり下限値）のリミッターを設け、第１ＥＯＴＦの差分値との差が１．５以下の差分値を丸めた場合、シャープネスゲインカーブは、範囲Ａにおいて５．０となり、範囲Ｂ〜Ｃにおいて５．０となり、範囲Ｄにおいて０．６となり、範囲Ｅにおいて２．０となり、最終的にこれらのシャープネスゲインを実現する値が差分値ΔＧＢ、ΔＧＣとして設定される。
【０１０３】
また、図１１のシャープネスゲインカーブは、デルタポイントコードＣ３、Ｃ４において、傾きがないオフセットする形状を有しているが、これに限らずに、デルタポイントコードＣ３、Ｃ４においてに傾きがある形状を有していても良い。例えば、シャープネスゲインカーブは、デルタポイントコードＣ３のシャープネスゲインをシャープネスゲインと同じ値となるように設定し、デルタポイントコードＣ３よりもニーポイントコードＣ１側は直ちにΔＧＢに上げずに一定の傾きをもってなだらかに上がる形状を有していても良く、デルタポイントコードＣ３よりもデルタポイントコードＣ４側も直ちにΔＧＣに下げずに一定の傾きをもってなだらかに下がる形状を有していても良い。また、デルタポイントコードＣ４についても同様に、例えば、シャープネスゲインカーブは、デルタポイントコードＣ４のシャープネスゲインをシャープネスゲインと同じ値となるように設定し、デルタポイントコードＣ４よりもデルタポイントコードＣ３側は直ちにΔＧＣに下げずに一定の傾きをもってなだらかに下がる形状を有していても良く、デルタポイントコードＣ４よりも最大コード値Ｃ５側も直ちにΔＧＢに上げずに一定の傾きをもってなだらかに上がる形状を有していても良い。
【０１０４】
このように、表示装置１００では、第２ＥＯＴＦを用いて得られるＨＤＲ映像を表示する場合においても、第１ＥＯＴＦを用いる場合と同様に接線の傾きに応じてシャープネスゲインの調整を行う。このため、第２ＥＯＴＦを用いてＨＤＲ映像データを変換することで得られたＨＤＲ映像のシャープネスが低減することを効果的に抑制することができる。
【０１０５】
また、表示装置１００では、第１の点および第２の点である２つの変化点を有する第２ＥＯＴＦを用いて得られるＨＤＲ映像を表示する場合においても、第１ＥＯＴＦを用いる場合と同様に接線の傾きに応じてシャープネスゲインの調整を行う。このため、第２ＥＯＴＦを用いてＨＤＲ映像データを変換することで得られたＨＤＲ映像のシャープネスが低減することを効果的に抑制することができる。
【０１０６】
また、表示装置１００では、第１ＥＯＴＦを用いる場合でも、第２ＥＯＴＦを用いる場合でも、領域Ａにおいては同じ処理を行う。つまり、第１ＥＯＴＦを用いる場合でも、第２ＥＯＴＦを用いる場合でも、第１抽出部１４１、第１調整部１５１および第２設定部１５７を共用できる。よって、構成要素を少なくすることができ、コストアップを抑制することができる。
【０１０７】
また、表示装置１００では、第１ＥＯＴＦを用いる場合と、第２ＥＯＴＦを用いる場合とで、範囲Ｂのコード値を含むシャープネスゲインを異ならせている。つまり、第１ＥＯＴＦを用いる場合と、第２ＥＯＴＦを用いる場合とで、ニーポイントを基準としてシャープネスゲインを互いに異ならせることができ、ＨＤＲ映像のシャープネスが低減することを効果的に抑制することができる。また、配信側がニーポイントコードを生成してメタデータで送信する場合においても、表示装置において、配信側が生成するニーポイントコードを基準にして、第１ＥＯＴＦを用いる場合と、第２ＥＯＴＦを用いる場合とで、シャープネスゲインを互いに異ならせることができる。
【０１０８】
また、調整部１５０では、変換部１７０が第１ＥＯＴＦを用いた変換を行う場合において領域Ｂ（つまり、第４領域）のシャープネスゲインを調整する第２調整部１５２が、変換部１７０が第２ＥＯＴＦを用いた変換を行う場合においては、領域Ｂ（つまり、第１０領域）のシャープネスゲインを調整する。上述したように、変換部１７０が第１ＥＯＴＦを用いた変換を行う場合も、第２ＥＯＴＦを用いた変換を行う場合も、第２抽出部１４２が異なる領域を領域Ｂとして抽出し、第２設定部１５７が異なる値をゲインＢとして設定するため、第２調整部１５２を共用することができる。
【０１０９】
同様に、調整部１５０では、変換部１７０が第１ＥＯＴＦを用いた変換を行う場合において領域Ｃ（つまり、第２領域）のシャープネスゲインを調整する第３調整部１５３が、変換部１７０が第２ＥＯＴＦを用いた変換を行う場合においては、領域Ｃ（つまり、第６領域）のシャープネスゲインを調整する。上述したように、変換部１７０が第１ＥＯＴＦを用いた変換を行う場合も、第２ＥＯＴＦを用いた変換を行う場合も、第３抽出部１４３が異なる領域を領域Ｃとして抽出し、第３設定部１５８が異なる値をゲインＣとして設定するため、第３調整部１５３を共用することができる。
【０１１０】
このように、表示装置１００では、第１ＥＯＴＦを用いる場合でも、第２ＥＯＴＦを用いる場合でも、第２調整部１５２および第３調整部１５３を共用できる。よって、構成要素を少なくすることができ、コストアップを抑制することができる。
【０１１１】
［２．動作］
次に、表示装置１００の動作について図１２〜図１４を用いて説明する。
【０１１２】
図１２は、実施の形態に係る表示装置による表示方法の一例を示すフローチャートである。
【０１１３】
表示装置１００では、取得部１１０が映像データを取得する（Ｓ１０）。取得部１１０は、映像データとともにメタデータを取得してもよい。
【０１１４】
次に、変換部１７０がＥＯＴＦを用いて映像データを映像に変換する（Ｓ２０）。変換部１７０は、具体的には、映像データがＨＤＲ映像データである場合には、ＨＤＲに対応したＥＯＴＦを用いてＨＤＲ映像に変換する。変換部１７０は、例えば、ＨＤＲ映像データのＭａｘＣＬＬが表示最大輝度以下である場合には、第１ＥＯＴＦを用いてＨＤＲ映像データをＨＤＲ映像に変換する。変換部１７０は、例えば、ＨＤＲ映像データのＭａｘＣＬＬが表示最大輝度を超えている場合には、第２ＥＯＴＦを用いてＨＤＲ映像データをＨＤＲ映像に変換する。また、変換部１７０は、映像データがＳＤＲ映像データである場合には、ＳＤＲに対応したＥＯＴＦを用いてＳＤＲ映像に変換する。
【０１１５】
一方で、領域抽出部１４０は、映像データがＨＤＲ映像データである場合、ＨＤＲ映像データの複数のピクチャのそれぞれを構成する全画素のそれぞれのコード値を判定することで、複数の領域Ａ〜Ｄを抽出する抽出処理を行う（Ｓ３０）。抽出処理の詳細は、後述する。
【０１１６】
次に、調整部１５０は、領域抽出部１４０により抽出された複数の領域Ａ〜Ｄに基づいて、当該領域におけるシャープネスを、領域ごとに対応付けられたシャープネスゲインで調整する調整処理を行う（Ｓ５０）。調整処理の詳細は、後述する。
【０１１７】
なお、映像データがＳＤＲ映像データである場合、領域抽出部１４０および調整部１５０は、処理を行わなくてもよい。
【０１１８】
最後に、表示部１８０は、調整部１５０により調整されることで得られた調整データを用いて、変換部１７０において変換されることにより得られたＨＤＲ映像を表示する（Ｓ６０）。また、表示部１８０は、映像データがＳＤＲ映像データである場合、変換部１７０において変換されることにより得られたＳＤＲ映像を表示してもよい。
【０１１９】
なお、ステップＳ２０と、ステップＳ３０およびステップＳ５０とは、並列で行われてもよいし、互いに重ならない時間帯で行われてもよい。
【０１２０】
次に、領域を抽出する抽出処理の詳細について図１３を用いて説明する。
【０１２１】
図１３は、領域を抽出する抽出処理の一例を示すフローチャートである。
【０１２２】
表示装置１００の領域抽出部１４０は、抽出処理が開始されると、変換部１７０が第１ＥＯＴＦを用いた変換を行ったか否かを判定する（Ｓ３１）。
【０１２３】
領域抽出部１４０は、変換部１７０が第１ＥＯＴＦを用いた変換を行ったと判定した場合（Ｓ３１でＹｅｓ）、ＨＤＲ映像データの複数のピクチャのそれぞれを構成する複数の画素のそれぞれについてループ１を実行する。
【０１２４】
ループ１が開始されると、領域抽出部１４０は、当該画素のコード値がニーポイントコードＣ１未満であるか否かを判定する（Ｓ３２）。
【０１２５】
領域抽出部１４０は、当該画素のコード値がニーポイントコードＣ１未満である場合（Ｓ３２でＹｅｓ）、当該画素を領域Ａに含まれる画素であると判定する（Ｓ３３）。領域抽出部１４０は、当該画素を領域Ａとした抽出結果を、記憶部１３０に記憶させてもよい。具体的には、上述した第１抽出部１４１がステップＳ３３の処理を行う。
【０１２６】
領域抽出部１４０は、当該画素のコード値がニーポイントコードＣ１以上である場合（Ｓ３２でＮｏ）、当該コード値がデルタポイントコードＣ２未満であるか否かを判定する（Ｓ３４）。
【０１２７】
領域抽出部１４０は、当該画素のコード値がデルタポイントコードＣ２未満である場合（Ｓ３４でＹｅｓ）、当該画素を領域Ｂに含まれる画素であると判定する（Ｓ３５）。領域抽出部１４０は、当該画素を領域Ｂとした抽出結果を、記憶部１３０に記憶させてもよい。具体的には、上述した第２抽出部１４２がステップＳ３５の処理を行う。
【０１２８】
領域抽出部１４０は、当該画素のコード値がデルタポイントコードＣ２以上である場合（Ｓ３４でＮｏ）、当該画素を領域Ｃに含まれる画素であると判定する（Ｓ３６）。領域抽出部１４０は、当該画素を領域Ｃとした抽出結果を、記憶部１３０に記憶させてもよい。具体的には、上述した第３抽出部１４３がステップＳ３６の処理を行う。
【０１２９】
領域抽出部１４０は、全ての画素のそれぞれについてループ１を実行すると、ループ１を終了する。
【０１３０】
一方で、領域抽出部１４０は、変換部１７０が第２ＥＯＴＦを用いた変換を行ったと判定した場合（Ｓ３１でＮｏ）、ＨＤＲ映像データの複数のピクチャのそれぞれを構成する複数の画素のそれぞれについてループ２を実行する。
【０１３１】
ループ２が開始されると、領域抽出部１４０は、当該画素のコード値がニーポイントコードＣ１未満であるか否かを判定する（Ｓ３７）。
【０１３２】
領域抽出部１４０は、当該画素のコード値がニーポイントコードＣ１未満である場合（Ｓ３７でＹｅｓ）、当該画素を領域Ａに含まれる画素であると判定する（Ｓ３８）。領域抽出部１４０は、当該画素を領域Ａとした抽出結果を、記憶部１３０に記憶させてもよい。具体的には、上述した第１抽出部１４１がステップＳ３８の処理を行う。
【０１３３】
領域抽出部１４０は、当該画素のコード値がニーポイントコードＣ１以上である場合（Ｓ３７でＮｏ）、当該コード値がデルタポイントコードＣ３未満であるか否かを判定する（Ｓ３９）。
【０１３４】
領域抽出部１４０は、当該画素のコード値がデルタポイントコードＣ３未満である場合（Ｓ３９でＹｅｓ）、当該画素を領域Ｂに含まれる画素であると判定する（Ｓ４０）。領域抽出部１４０は、当該画素を領域Ｂとした抽出結果を、記憶部１３０に記憶させてもよい。具体的には、上述した第２抽出部１４２がステップＳ４０の処理を行う。
【０１３５】
領域抽出部１４０は、当該画素のコード値がデルタポイントコードＣ３以上である場合（Ｓ３９でＮｏ）、当該コード値がデルタポイントコードＣ４未満であるか否かを判定する（Ｓ４１）。
【０１３６】
領域抽出部１４０は、当該画素のコード値がデルタポイントコードＣ４未満である場合（Ｓ４１でＹｅｓ）、当該画素を領域Ｃに含まれる画素であると判定する（Ｓ４２）。領域抽出部１４０は、当該画素を領域Ｃとした抽出結果を、記憶部１３０に記憶させてもよい。具体的には、上述した第３抽出部１４３がステップＳ４２の処理を行う。
【０１３７】
領域抽出部１４０は、当該画素のコード値がデルタポイントコードＣ４以上である場合（Ｓ４１でＮｏ）、当該画素を領域Ｄに含まれる画素であると判定する（Ｓ４３）。領域抽出部１４０は、当該画素を領域Ｄとした抽出結果を、記憶部１３０に記憶させてもよい。具体的には、上述した第４抽出部１４４がステップＳ４３の処理を行う。
【０１３８】
領域抽出部１４０は、全ての画素のそれぞれについてループ２を実行すると、ループ２を終了する。
【０１３９】
領域抽出部１４０は、ループ１またはループ２が終了すると、抽出処理を終了する。
【０１４０】
次に、シャープネスゲインを調整する調整処理の詳細について図１４を用いて説明する。
【０１４１】
図１４は、シャープネスゲインを調整する調整処理の一例を示すフローチャートである。
【０１４２】
表示装置１００の調整部１５０は、調整処理が開始されると、変換部１７０が第１ＥＯＴＦを用いた変換を行ったか否かを判定する（Ｓ５１）。
【０１４３】
調整部１５０は、変換部１７０が第１ＥＯＴＦを用いた変換を行ったと判定した場合（Ｓ５１でＹｅｓ）、抽出処理において抽出された複数の領域Ａ〜Ｃのそれぞれについてループ３を実行する。
【０１４４】
ループ３が開始されると、調整部１５０は、当該領域が領域Ａ〜Ｃのいずれであるかを判定する（Ｓ５２）。なお、領域抽出部１４０において抽出された各領域が第１ＥＯＴＦを用いた変換での領域であるか第２ＥＯＴＦを用いた変換での領域であるかを示す情報が抽出結果と共に記憶されていれば、上記ステップＳ５１およびステップＳ５２の処理を合わせた判定処理を行ってもよい。
【０１４５】
調整部１５０は、当該領域が領域Ａであると判定した場合（Ｓ５２で領域Ａ）、当該領域におけるシャープネスゲインを差分値ΔＧＢ増加させる（Ｓ５３）。具体的には、上述した調整部１５０の第１調整部１５１および第１設定部１５６がステップＳ５３の処理を行う。これにより、データＡが得られる。
【０１４６】
調整部１５０は、当該領域が領域Ｂであると判定した場合（Ｓ５２で領域Ｂ）、当該領域におけるシャープネスゲインを差分値ΔＧＡ増加させる（Ｓ５４）。具体的には、上述した調整部１５０の第２調整部１５２および第２設定部１５７がステップＳ５４の処理を行う。これにより、データＢが得られる。
【０１４７】
調整部１５０は、当該領域が領域Ｃであると判定した場合（Ｓ５２で領域Ｃ）、当該領域におけるシャープネスゲインを差分値ΔＧＤ減少させる（Ｓ５５）。具体的には、上述した調整部１５０の第３調整部１５３および第３設定部１５８がステップＳ５５の処理を行う。これにより、データＣが得られる。
【０１４８】
調整部１５０は、全ての領域のそれぞれについてループ３を実行すると、ループ３を終了する。
【０１４９】
一方で、調整部１５０は、変換部１７０が第２ＥＯＴＦを用いた変換を行ったと判定した場合（Ｓ５１でＮｏ）、抽出処理において抽出された複数の領域Ａ〜Ｄのそれぞれについてループ４を実行する。
【０１５０】
ループ４が開始されると、調整部１５０は、当該領域が領域Ａ〜Ｄのいずれであるかを判定する（Ｓ５６）。なお、領域抽出部１４０において抽出された各領域が第１ＥＯＴＦを用いた変換での領域であるか第２ＥＯＴＦを用いた変換での領域であるかを示す情報が抽出結果と共に記憶されていれば、上記ステップＳ５１およびステップＳ５６の処理を合わせた判定処理を行ってもよい。
【０１５１】
調整部１５０は、当該領域が領域Ａであると判定した場合（Ｓ５６で領域Ａ）、当該領域におけるシャープネスゲインを差分値ΔＧＢ増加させる（Ｓ５７）。具体的には、上述した調整部１５０の第１調整部１５１および第１設定部１５６がステップＳ５７の処理を行う。これにより、データＡが得られる。
【０１５２】
調整部１５０は、当該領域が領域Ｂであると判定した場合（Ｓ５６で領域Ｂ）、当該領域におけるシャープネスゲインを差分値ΔＧＢ増加させる（Ｓ５８）。具体的には、上述した調整部１５０の第２調整部１５２および第２設定部１５７がステップＳ５８の処理を行う。これにより、データＢが得られる。
【０１５３】
調整部１５０は、当該領域が領域Ｃであると判定した場合（Ｓ５６で領域Ｃ）、当該領域におけるシャープネスゲインを差分値ΔＧＣ減少させる（Ｓ５９）。具体的には、上述した調整部１５０の第３調整部１５３および第３設定部１５８がステップＳ５９の処理を行う。これにより、データＣが得られる。
【０１５４】
調整部１５０は、当該領域が領域Ｄであると判定した場合（Ｓ５６で領域Ｄ）、当該領域におけるシャープネスゲインを差分値ΔＧＢ増加させる（Ｓ６０）。具体的には、上述した調整部１５０の第４調整部１５４および第４設定部１５９がステップＳ６０の処理を行う。これにより、データＤが得られる。
【０１５５】
調整部１５０は、全ての領域のそれぞれについてループ４を実行すると、ループ４を終了する。
【０１５６】
調整部１５０は、ループ３またはループ４が終了すると、ループ３の結果（つまり、データＡ〜Ｃ）またはループ４の結果（つまり、データＡ〜Ｄ）に、第５調整部１５５および第５設定部１６０による処理結果（つまり、データＥ）を加算し、加算することにより得られた調整データを出力する（Ｓ６１）。
【０１５７】
［３．効果など］
本実施の形態に係る表示装置１００は、取得部１１０と、変換部１７０と、領域抽出部１４０と、調整部１５０と、表示部１８０とを備える。取得部１１０は、各画素の輝度がコード値で表されているＨＤＲ映像データを取得する。変換部１７０は、ＨＤＲ映像データを第１ＥＯＴＦを用いてＨＤＲ映像に変換する。領域抽出部１４０は、ＨＤＲ映像データの各画素について、当該画素のコード値が、第１ＥＯＴＦ上の点における接戦の傾きが所定の傾き未満から所定の傾き以上に変化する第１の点に対応する第１コード値未満の第１範囲に含まれるか第１コード値以上の第２範囲に含まれるかを判定する。領域抽出部１４０は、この判定を行うことで、コード値が第１範囲に含まれる画素を含む第１領域と、コード値が第２範囲に含まれる画素を含む第２領域とを抽出する。調整部１５０は、ＨＤＲ映像データのうちの第１領域のシャープネスゲインを第２領域のシャープネスゲインよりも増加させることでＨＤＲ映像データのシャープネスゲインを調整する。表示部１８０は、調整部１５０により調整されることで得られた調整データを用いて、変換部１７０において変換されることにより得られたＨＤＲ映像を表示する。
【０１５８】
このため、表示装置１００では、マスター映像データの輝度データ高周波成分がエンコード、デコード処理の影響により欠損する場合を考慮して、第１領域のシャープネスゲインを、第２領域のシャープネスゲインよりも増加させることで、異なる画素間のシャープネスゲインの変化率の均一化を図っている。これにより、低輝度領域としての第１領域のシャープネス効果を、高輝度領域としての第２領域のシャープネス効果に近づけることができる。よって、ＨＤＲ映像データを変換することで得られたＨＤＲ映像のシャープネスが低減することを効果的に抑制することができる。
【０１５９】
［４．変形例］
上記実施の形態では、表示装置１００は、機能構成として制御部１２０を備えるとしたが、必ずしも制御部１２０を備えていなくてもよい。つまり、制御部１２０が算出するとした情報は、外部から取得してもよいし、記憶部１３０が予め記憶していてもよい。例えば、ニーポイントコードは映像データにメタデータとして含まれていてもよい。また、デルタポイントコードは記憶部１３０が予め記憶していてもよい。また、調整部１５０はシャープネスゲインカーブおよびシャープネスゲインを用いて補正値を算出するのではなく記憶部１３０に記憶されている所定の補正値をそのまま用いて補正値を設定してもよい。また、第２ＥＯＴＦは、記憶部１３０が予め記憶していてもよい。
【０１６０】
上記実施の形態では、領域抽出部１４０は、変換部１７０が第２ＥＯＴＦを用いた変換を行った場合、複数の画素のそれぞれについて当該画素のコード値がニーポイントコードＣ１未満であるか否かを判定しており、デルタポイントコードＣ３未満の範囲において２つの領域を抽出する処理を行うとしたが必ずしもニーポイントコードＣ１未満である領域Ａおよびニーポイント以上である領域Ｂに分けなくてもよい。この場合、調整部１５０は、領域抽出部１４０において抽出された、デルタポイントコードＣ３未満のコード値の画素からなる領域に対してシャープネスゲインを差分値ΔＧＢ増加させる処理を行ってもよい。
【０１６１】
上記実施の形態では、領域抽出部１４０および調整部１５０は、変換部１７０における変換が第１ＥＯＴＦを用いて行われたか第２ＥＯＴＦを用いて行われたかを判定するとしたが、これに限らない。例えば、表示装置が第２ＥＯＴＦを必ず用いた変換を行う場合には、常に第２ＥＯＴＦを用いた変換を行う場合の処理を行ってもよい。
【０１６２】
上記実施の形態では、変換部１７０が第１ＥＯＴＦを用いた変換を行う場合には、領域抽出部１４０は、ニーポイントコードＣ１の前後で領域を分割するとしたが、ニーポイントコードＣ１の前後で領域を分割しなくてもよい。よって、調整部１５０は、ニーポイントコードＣ１の前後でシャープネスゲインを異ならせなくてもよい。
【０１６３】
上記実施の形態では、表示装置１００では、チューナ１０１を備える構成であり、取得部１１０は、チューナ１０１により実現されるとしたが、これに限らない。取得部１１０は、光ディスクなどの記録媒体（所定のパッケージメディア）に記録されているＨＤＲ映像データを読み出すことでＨＤＲ映像データを取得してもよい。この場合、取得部１１０は、光ディスクを読み出す光ピックアップなどの電気機器により実現されてもよい。また、取得部１１０は、インターネットなどのネットワークを介して外部サーバからＨＤＲ映像データを取得してもよい。この場合、取得部１１０は、外部サーバとの間で通信を行うための通信ＩＦにより実現されてもよい。
【０１６４】
以上のように、本開示における技術の例示として、実施の形態を説明した。そのために、添付図面および詳細な説明を提供した。
【０１６５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１６６】
また、上述の実施の形態は、本開示における技術を例示するためのものであるから、請求の範囲またはその均等の範囲において種々の変更、置き換え、付加、省略などを行うことができる。
【産業上の利用可能性】
【０１６７】
本開示は、ＨＤＲ映像データを変換して得られたＨＤＲ映像のシャープネスゲインを効果的に調整することができる表示装置、表示方法などとして有用である。
【符号の説明】
【０１６８】
１    映像システム
１００    表示装置
１０１    チューナ
１０２    デコーダ
１０３    制御回路
１０４    メモリ
１０５    表示デバイス
１１０    取得部
１２０    制御部
１３０    記憶部
１４０    領域抽出部
１４１    第１抽出部
１４２    第２抽出部
１４３    第３抽出部
１４４    第４抽出部
１５０    調整部
１５１    第１調整部
１５２    第２調整部
１５３    第３調整部
１５４    第４調整部
１５５    第５調整部
１５６    第１設定部
１５７    第２設定部
１５８    第３設定部
１５９    第４設定部
１６０    第５設定部
１７０    変換部
１８０    表示部
２００    配信側装置
２０１    カメラ
２０２    情報処理装置
２０３    プロセッサ
２０４    メインメモリ
２０５    ストレージ
２０６    通信ＩＦ
２１０    キャプチャ部
２２０    マスタリング部
２３０    ＯＥＴＦ変換部
２４０    エンコーダ
ΔＧＡ〜ΔＧＤ    差分値
Ｃ１    ニーポイントコード
Ｃ２〜Ｃ４    デルタポイントコード
【図１】
0006712822.tif 000002
【図２】
0006712822.tif 000003
【図３】
0006712822.tif 000004
【図４】
0006712822.tif 000005
【図５】
0006712822.tif 000006
【図６】
0006712822.tif 000007
【図７】
0006712822.tif 000008
【図８】
0006712822.tif 000009
【図９】
0006712822.tif 000010
【図１０】
0006712822.tif 000011
【図１１】
0006712822.tif 000012
【図１２】
0006712822.tif 000013
【図１３】
0006712822.tif 000014
【図１４】
0006712822.tif 000015